(57)【要約】【課題】睡眠制御装置の利便性を向上させる。【解決手段】眼鏡１に、使用者の生体情報を入手する生体情報入手部３と、使用者に刺激を与える刺激付与部４と、使用者の睡眠深度を制御する睡眠制御部５と、が取り付けられ、睡眠制御部５に、生体情報入手部３により入手した生体情報を基に使用者の睡眠深度を判定する睡眠深度判定部７と、睡眠深度判定部７により判定された睡眠深度に基づいて刺激付与部４を駆動制御して使用者に刺激を与える付与刺激制御部１０と、が設けられる。このように、携帯して持ち運べる眼鏡１に睡眠制御装置２が取り付けられているため、睡眠制御装置２の利便性を向上させることができる。【選択図】図１
2013169412.tif 000002
【特許請求の範囲】
【請求項１】
眼鏡に取り付けられて使用者の睡眠深度を制御する睡眠制御装置であって、
使用者の生体情報を入手する生体情報入手手段と、
前記生体情報入手手段により入手した生体情報を基に使用者の睡眠深度を判定する睡眠深度判定手段と、
前記睡眠深度判定手段により判定された睡眠深度に基づいて使用者に刺激を与える刺激付与手段と、
を有することを特徴とする睡眠制御装置。
【請求項２】
前記刺激付与手段は、使用者の目に照射する光量を調整することを特徴とする請求項１に記載の睡眠制御装置。
【請求項３】
前記刺激付与手段は、前記眼鏡に設けられたレンズの光透過度を調整することを特徴とする請求項２に記載の睡眠制御装置。
【発明の詳細な説明】
【技術分野】
【０００１】
本発明は、睡眠深度を制御する睡眠制御装置に関する。
【背景技術】
【０００２】
特許文献１には、使用者が深い眠りに陥らないように浅い眠りに留めるとともに、眠気度に応じて設定された所定の睡眠時間経過後に使用者を覚醒させる睡眠制御装置が記載されている。
【先行技術文献】
【特許文献】
【０００３】
【特許文献１】特開２００９−２１３７０７号公報
【発明の概要】
【発明が解決しようとする課題】
【０００４】
しかしながら、特許文献１に記載の睡眠制御装置は、車両のシート等に装着されるものであるため、使用機会が限定されるとともに、携帯して持ち運ぶことができないため、利便性の面で改善の余地がある。
【０００５】
そこで、本発明は、利便性を向上することができる睡眠制御装置を提供することを目的とする。
【課題を解決するための手段】
【０００６】
本発明に係る睡眠制御装置は、眼鏡に取り付けられて使用者の睡眠深度を制御する睡眠制御装置であって、使用者の生体情報を入手する生体情報入手手段と、生体情報入手手段により入手した生体情報を基に使用者の睡眠深度を判定する睡眠深度判定手段と、睡眠深度判定手段により判定された睡眠深度に基づいて使用者に刺激を与える刺激付与手段と、を有することを特徴とする。
【０００７】
本発明に係る睡眠制御装置によれば、生体情報入手手段、睡眠深度判定手段及び刺激付与手段が、携帯して持ち運べる眼鏡に取り付けられているため、利便性を向上させることができる。
【０００８】
この場合、刺激付与手段は、使用者の目に照射する光量を調整することが好ましく、更に、刺激付与手段は、眼鏡に設けられたレンズの光透過度を調整することが好ましい。これにより、眼鏡を掛けている使用者に適切な刺激を付与することができる。
【発明の効果】
【０００９】
本発明によれば、睡眠制御装置の利便性を向上させることができる。
【図面の簡単な説明】
【００１０】
【図１】本発明の好適な実施形態に係る睡眠制御装置の構成を示す図である。
【００１１】
【図２】睡眠パターンＰ１〜Ｐ４を示す図である。
【発明を実施するための形態】
【００１２】
以下、図面を参照して、本発明に係る睡眠制御装置の実施形態を説明する。なお、各図において同一又は相当する要素については同一の符号を付し、重複する説明を省略する。
【００１３】
図１は、本発明の好適な実施形態に係る睡眠制御装置の構成を示す図である。図１に示すように、本実施形態に係る睡眠制御装置２は、眼鏡１に取り付けられており、生体情報入手部３と、刺激付与部４と、睡眠制御部５と、を備えている。なお、眼鏡１に対する睡眠制御装置２の取り付けは、如何なる態様であってもよく、例えば、眼鏡１に睡眠制御装置２を内蔵させてもよく、眼鏡１の付属品として眼鏡１に睡眠制御装置２を脱着可能に取り付けてもよい。
【００１４】
生体情報入手部３は、眼鏡１を掛けている使用者の生体情報を入手する部分である。使用者の生体情報としては、例えば、まばたきの回数や心拍数などが挙げられる。生体情報入手部３は、様々な手段により使用者の生体情報を入手することができ、例えば、眼鏡１に内蔵された心拍数センサから使用者の心拍数（生体情報）を入手してもよく、眼鏡１とは別体の心拍数センサから使用者の心拍数（生体情報）を入手してもよい。心拍数センサが眼鏡１と別体である場合は、例えば、眼鏡１と心拍数センサとを有線ケーブルで接続することで、生体情報入手部３は、心拍数センサから使用者の心拍数（生体情報）を入手することができる。また、例えば、心拍数センサに検出した心拍数の情報を無線送信するＦＭトランスミッターを取り付け、眼鏡１にＦＭトランスミッターから送信された情報を受信するＦＭ受信器を取り付けることで、生体情報入手部３は、心拍数センサから使用者の心拍数（生体情報）を入手することができる。そして、生体情報入手部３は、入手した生体情報を睡眠制御部５に対して出力する。
【００１５】
刺激付与部４は、睡眠制御部５の駆動制御により、使用者に刺激を付与する部分である。刺激付与部４は、例えば、使用者の目に光を照射させることで、使用者に刺激を付与することができ、この場合、使用者の目に照射する光量を調整することで、使用者に付与する刺激を変化させることができる。例えば、眼鏡１のレンズに液晶パネルを挟み込ませるなどして眼鏡１のレンズの光透過度や色を電気的に調整可能としておけば、刺激付与部４がレンズの光透過度や色を電気的に調整することでで、使用者の目に照射する光量を調整することができる。これにより、使用者に刺激を付与することができるとともに、使用者に付与する刺激を変化させることができる。また、不透光性のレンズ（例えば、黒塗りのレンズ）が嵌め込まれた眼鏡１に発光部を設けておけば、刺激付与部４が発光部の発光量を電気的に調整することで、使用者の目に照射する光量を調整することができる。これにより、使用者に刺激を付与することができるとともに、使用者に付与する刺激を変化させることができる。
【００１６】
なお、刺激付与部４は、使用者の目に光を照射させるものに限らず、様々な手段を採用することができる。例えば、刺激付与部４としては、例えば、音による聴覚刺激を付与するスピーカや、光による視覚刺激を付与する発光装置や、機械的な振動を付与する振動装置や、低周波治療器などのように電気振動を付与する電気振動発生装置などを採用することができる。また、刺激付与部４は、これらの手段を併用することもできる。
【００１７】
刺激付与部４が使用者に付与する刺激としては、使用者の睡眠深度を浅くする覚醒刺激や、使用者の睡眠深度を深くする誘眠刺激や、使用者の睡眠深度を維持する維持刺激などがある。覚醒刺激、誘眠刺激及び誘眠刺激の切り替えは、例えば、光量、音量、振動数、電気強度などの刺激程度を調整することにより行ってもよく、発光、音、機械的な振動、電気振動などの刺激付与手段を切り替えることにより行ってもよい。
【００１８】
睡眠制御部５は、眠気度に応じた睡眠パターンを使用者に提供制御するとともに、緊急情報を受けると使用者を覚醒させる部分である。睡眠制御部５は、眠気度検出部６と、睡眠深度判定部７と、睡眠パターン選択部８と、睡眠深度比較部９と、付与刺激制御部１０と、を備えている。
【００１９】
眠気度検出部６は、生体情報入手部３によって入手された生体情報に基づいて、使用者の現在の眠気度を検出する部分である。眠気度検出部６は、生体情報入手部３によって入手された生体情報に応じて眠気度を検出し、検出された眠気度を睡眠パターン選択部８に出力する。眠気度は、図２に示すように、眠気の軽重に応じて軽度から重度に向かって、１〜６の６つのレベルに分類されている。本実施形態においては、眠気度１〜２を極軽度の眠気とし、眠気度３〜５を軽度の眠気とし、眠気度６を疲労回復が必要とされる重度の眠気と定義している。
【００２０】
睡眠深度判定部７は、睡眠中の使用者の睡眠深度（以下「現睡眠深度」という）を判定する部分である。睡眠深度判定部７は、生体情報入手部３で入手された生体情報に基づいて、使用者の現睡眠深度を判定する。睡眠深度判定部７は、判定された現睡眠深度を睡眠深度比較部９に出力する。
【００２１】
睡眠パターン選択部８は、眠気度検出部６で検出された眠気度に対応した１つの睡眠パターンを選択して、制御すべき睡眠方法として設定する部分である。睡眠パターン選択部８で選択設定された睡眠パターンについての情報は、睡眠深度比較部９及び付与刺激制御部１０に出力される。
【００２２】
睡眠パターン選択部８で選択設定される睡眠パターンには、眠気度に応じた複数の睡眠パターンＰ１〜Ｐ４がある。睡眠パターンＰ１〜Ｐ４は、図２に示すように、軽度の眠気である眠気度３〜５のそれぞれに対応する睡眠パターンＰ１〜Ｐ３と、重度の眠気である眠気度６に対応する睡眠パターンＰ４とに分類される。
【００２３】
睡眠パターンＰ１〜Ｐ３は、使用者の睡眠深度を寝息が立つ程度の浅い眠りである睡眠深度２に一定の時間維持させる睡眠パターンである。すなわち、図２に示すように、睡眠パターンＰ１は、眠気度３に対応する睡眠パターンであり、睡眠深度２に維持される睡眠維持時間Ｔ１が例えば５分程度となっている。睡眠パターンＰ２は、眠気度４に対応する睡眠パターンであり、睡眠深度２に維持される睡眠維持時間Ｔ２が例えば１０分程度となっている。睡眠パターンＰ３は、眠気度５に対応する睡眠パターンであり、睡眠深度２に維持される睡眠維持時間Ｔ３が例えば３０分程度となっている。
【００２４】
一方、睡眠パターンＰ４は、自然な睡眠リズムを利用した睡眠パターンである。図２に示すように、睡眠パターンＰ４においては、自然な睡眠リズムを利用して睡眠深度４まで使用者の睡眠深度を深くしていき、睡眠深度４で一旦維持する。そして、睡眠深度４で一旦維持された後、睡眠深度２まで眠りが浅くなったときに、使用者を覚醒させる。
【００２５】
睡眠深度比較部９は、睡眠パターン選択部８で選択設定された睡眠パターンにおける睡眠深度（以下、「目標睡眠深度」と記す）と、睡眠深度判定部７で判定された現睡眠深度とを比較して、その差についての比較信号を付与刺激制御部１０に出力する部分である。
【００２６】
付与刺激制御部１０は、刺激付与部４を駆動制御する部分である。付与刺激制御部１０は、睡眠深度比較部９からの比較信号が入力されると、その比較信号に応じて、覚醒刺激、維持刺激、及び誘眠刺激のいずれかを使用者に付与するように刺激付与部４を駆動制御する。すなわち、付与刺激制御部１０は、睡眠深度比較部９から、現睡眠深度が目標睡眠深度より大きいとの比較信号を受信した場合、つまり、使用者の眠りの深さが目標とする眠りの深さに比べて深くなっている場合、刺激付与部４を作動させて、使用者の睡眠深度を浅くさせる覚醒刺激を使用者に対して付与する。また、付与刺激制御部１０は、睡眠深度比較部９から、現睡眠深度が目標睡眠深度より小さくなっているとの比較信号を受信した場合、つまり、使用者の眠りの深さが目標とする眠りの深さに比べて浅くなっている場合、刺激付与部４を作動させて、使用者の睡眠深度を深くさせる誘眠刺激を使用者に対して付与する。また、付与刺激制御部１０は、睡眠深度比較部９から、現睡眠深度と目標睡眠深度とが同一であるとの比較信号を受信した場合、つまり、使用者の眠りの深さが目標とする眠りの深さに一致している場合、刺激付与部４を作動させて、使用者の睡眠深度を維持させる維持刺激を使用者に対して付与する。
【００２７】
そして、付与刺激制御部１０は、睡眠パターン選択部８で選択設定された睡眠パターンが終了すると、覚醒刺激を使用者に付与するように刺激付与部４を駆動制御する。すなわち、付与刺激制御部１０は、睡眠パターン選択部８で睡眠パターンＰ１〜Ｐ３が選択設定された場合、睡眠パターンを開始してからの経過時間が当該睡眠パターンの睡眠維持時間を超えると、覚醒刺激を使用者に付与するように刺激付与部４を駆動制御して、使用者を覚醒させる。また、付与刺激制御部１０は、睡眠パターン選択部８で睡眠パターンＰ４が選択設定された場合、睡眠深度判定部７により使用者の眠りが睡眠深度２まで浅くなったと判定すると、覚醒刺激を使用者に付与するように刺激付与部４を駆動制御して、使用者を覚醒させる。
【００２８】
このように、本実施形態によれば、携帯して持ち運べる眼鏡１に睡眠制御装置２が取り付けられているため、睡眠制御装置２の利便性を向上させることができる。
【００２９】
そして、使用者の目に照射する光量を調整することにより使用者に付与する刺激を変化させることで、眼鏡を掛けている使用者に適切な刺激を付与することができる。
【００３０】
以上、本発明の好適な実施形態について説明したが、本発明は上記実施形態に限定されるものではない。例えば、上記実施形態では、睡眠パターンごとに睡眠時間が固定されるものとして説明したが、睡眠時間や覚醒時刻を適宜設定するものとすることができる。この場合、眼鏡１にタイマーやストップウォッチなどの機能を備えておき、使用者が睡眠時間または覚醒時刻をセットすることで、付与刺激制御部１０は、設定時間経過後または設定時刻に使用者に刺激を付与することができる。
【００３１】
また、上記実施形態では、眼鏡１に設けられた刺激付与部４が使用者に刺激を付与するものとして説明したが、眼鏡１を低周波電気マッサージ器などの外部刺激付与装置と接続可能にしておき、付与刺激制御部１０は、眼鏡１に接続された外部刺激付与装置を駆動制御することで使用者に刺激を付与するものとしてもよい。これによれば、眼鏡１から刺激付与部４を省略することができる。
【符号の説明】
【００３２】
１…眼鏡、２…睡眠制御装置、３…生体情報入手部（生体情報入手手段）、４…刺激付与部（刺激付与手段）、５…睡眠制御部、６…眠気度検出部、７…睡眠深度判定部（睡眠深度判定手段）、８…睡眠パターン選択部、９…睡眠深度比較部、１０…付与刺激制御部（刺激付与手段）。
【図１】
2013169412.tif 000003
【図２】
2013169412.tif 000004